(57)【要約】医療機器のためのコネクタは、結合式のコネクタの指標として目に見え触感のある特徴を含む。これにより、忙しく、および/または、暗い場所で、結合型式による弁別が可能となる。
2020512887.tif 000002
【特許請求の範囲】
【請求項１】
端部を有する装置本体と、
前記装置本体に流体連通し、該装置本体の端部から延びるコネクタであって、該コネクタの外面が、前記コネクタの結合型式の指標である目に見え触感のある特徴を含むコネクタと、
を含む医療機器。
【請求項２】
前記結合型式は、前記コネクタの内面により画定される請求項１に記載の医療機器。
【請求項３】
前記内面は、滑らかであり、前記目に見え触感のある特徴は、シリンジの長手方向の軸線に対して実質的に平行である１以上の溝、または、突起であり、前記結合型式は、スリップ式接続である請求項１に記載の医療機器。
【請求項４】
前記内面はねじ山を含み、前記目に見え触感のある特徴は、前記端部の端に対して零を超える角度に傾き螺旋形となる１以上の溝、または、突起であり、前記結合型式は、ロック式接続である請求項１に記載の医療機器。
【請求項５】
前記コネクタは、ニードルハブ、フィルタ、および、アダプタのうちの少なくとも一つと係合可能である請求項１に記載の医療機器。
【請求項６】
前記コネクタは、不透明な材料である請求項１に記載の医療機器。
【請求項７】
前記コネクタは、細長い先端の周囲に同軸状に配置されたカラーを含む請求項１に記載の医療機器。
【請求項８】
前記装置本体は、前記端部に末端壁を有するシリンジバレルであり、前記コネクタは、前記末端壁から延びる請求項１に記載の医療機器。
【請求項９】
末端壁を含む末端と、末端の先端と、開口基端と、前記末端と前記開口基端との間で延び小室を画定するバレル側壁とを有するシリンジバレルと、
前記末端壁で前記シリンジバレルから末端方向に延びるコネクタであって、前記コネクタの結合型式の指標である目に見え触感のある特徴を含むコネクタと、
を含むシリンジ。
【請求項１０】
前記コネクタは、前記末端の先端と流体連通する細長い先端の周囲に同軸状に配置されたカラーと、前記細長い先端と前記カラーとの間に形成される溝と、前記目に見え触感のある特徴を含む前記カラーの外面と、を含む請求項９に記載のシリンジ。
【請求項１１】
前記コネクタは、不透明な材料である請求項９に記載のシリンジ。
【請求項１２】
前記コネクタは、テーパ角５％を含む請求項９に記載のシリンジ。
【請求項１３】
前記コネクタは、国際標準機構規格ＩＳＯ８０３６９−６（２０１６）に準拠する請求項９に記載のシリンジ。
【請求項１４】
前記目に見え触感のある特徴は、ニードルハブ、フィルタ、および、アダプタのうちの少なくとも一つを前記コネクタに係合させるための挿入の動きを暗に示すのに有効である請求項９に記載のシリンジ。
【請求項１５】
前記目に見え触感のある特徴は、前記シリンジの長手方向の軸線に対して実質的に平行である１以上の溝、または、突起である請求項１４に記載のシリンジ。
【請求項１６】
前記結合型式は、スリップ式接続である請求項１５に記載のシリンジ。
【請求項１７】
前記目に見え触感のある特徴は、前記末端壁の端部に対して零を超える角度に傾き、螺旋形となる１以上の溝もしくは突起である請求項９に記載のシリンジ。
【請求項１８】
前記コネクタは、前記末端壁の端部に対して零を超える角度に傾き螺旋形となる１以上の内側のねじ山を含む請求項１７に記載のシリンジ。
【請求項１９】
前記結合型式は、ロック式接続である請求項１８に記載のシリンジ。
【請求項２０】
前記シリンジバレルは、ガラス材料である請求項９に記載のシリンジ。
【請求項２１】
前記シリンジバレルは、ポリマー材料である請求項９に記載のシリンジ。
【請求項２２】
末端壁を含む末端と、末端の先端と、開口基端と、前記末端と前記開口基端との間で延び小室を画定するバレル側壁を有するシリンジバレルと、
前記末端壁で前記シリンジバレルから末端方向に延びるコネクタであって、前記末端の先端と流体連通する細長い先端の周囲に同軸状に配置されるカラーと、前記細長い先端と前記カラーとの間に形成される溝とを含み、前記カラーは、内面および外面と、前記カラーの前記外面に目に見え触感のある特徴と、を含むコネクタと、含むシリンジ。
【請求項２３】
前記カラーは、金属材料であり、シリンジカラー接合部をさらに含み、
前記シリンジバレルは、ガラス材料であり、前記シリンジカラー接合部が接続される末端壁の延在部をさらに含む請求項２２に記載のシリンジ。
【請求項２４】
前記カラーおよび前記シリンジバレルは、双方、ポリマー材料であり、前記カラーは、前記シリンジバレルと一体に形成される請求項２２に記載のシリンジ。
【請求項２５】
前記カラーは、テーパ角５％を含む請求項２２に記載のシリンジ。
【請求項２６】
前記カラーは、国際標準機構規格ＩＳＯ８０３６９−６（２０１６）に準拠する請求項２２に記載のシリンジ。
【請求項２７】
前記目に見え触感のある特徴は、ニードルハブ、フィルタ、およびアダプタのうちの少なくとも一つと前記コネクタを係合させるための挿入の動きを示すのに有効である請求項２２に記載のシリンジ。
【請求項２８】
前記目に見え触感のある特徴は、前記シリンジの長手方向の軸線に対して実質的に平行である１以上の溝、または、突起であり、前記結合型式は、スリップ式接続である請求項２２に記載のシリンジ。
【請求項２９】
前記目に見え触感のある特徴は、前記末端壁の端部に対して零を超える角度に傾き、螺旋形となる１以上の溝、または、突起であり、前記カラーは、前記末端壁の端部に対して零を超える角度に傾き螺旋形となる１以上のねじ山を前記内面に含み、前記結合型式は、ロック式接続である請求項２２に記載のシリンジ。
【請求項３０】
医療機器の製造方法であって、
コネクタの結合型式の指標である目に見え触感のある特徴を含むコネクタを形成し、
前記医療機器の装置本体内に前記コネクタを合体させることを含む製造方法。
【請求項３１】
異なる結合型式の医療機器、即ち、シリンジ相互間を弁別する方法であって、
請求項１に記載の前記医療機器、即ち、前記シリンジを取得し、
前記目に見え触感のある特徴を視覚的に、および/または、触覚的に検査することを含む方法。
【発明の詳細な説明】
【技術分野】
【０００１】
本開示は、目に見え触感のある指標を有する医療機器に関する。詳細には、ニードルハブ、フィルタ、アダプタなどに係合可能なシリンジのような医療機器は、例えば、スリップ式接続またはロック式接続のシリンジの構成要素の内部にある結合型式における目に見え触感のある指標をもたらす１以上の特徴を外面に有する。
【背景技術】
【０００２】
スリップ式およびロック式シリンジ双方におけるミスコネクションカラー（misconnection collars）が、誤った経路による投薬の手違いを回避するために提供されてきた。誤った経路による投薬の手違いは、異なる目的の用途（例えば、血管、腸内、呼吸、硬膜外、および、髄腔内）を有する無関係な送出システム相互間の接続に起因する。ミスコネクションカラーは、患者への望ましい経路に対し、液（例えば、投薬、腸内投与など）または気体（例えば、酸素）について適正な経路を定めることを容易にする。国際標準機構規格ＩＳＯ８０３６９−１：２０１６（Ｅｎ）は、健康管理分野における液体および気体に対する小口径コネクタについて述べられている。脳幹脊髄分野における接続に使用されるように意図された小口径コネクタは、国際標準機構規格ＩＳＯ８０３６９−６に適合している。参照により本明細書と一体に構成される国際標準機構規格ＩＳＯ８０３６９−６（２０１６）における仕様は、テーパ角５％である。
【発明の概要】
【発明が解決しようとする課題】
【０００３】
スリップ式およびロック式シリンジのための現時点での最新の技術水準のミスコネクションカラーは、視覚的に同一である。鮮やかな色を有する多くのプラスチック製シリンジとは異なる、不透明な色を有するガラス製シリンジは、忙しい、および/または、暗い場所で、結合型式により弁別することを困難にする。プラスチック製シリンジは、透明であることも、ない場合もあり得るので、従って、忙しい、および/または、暗い場所で、結合型式によりプラスチック製シリンジを弁別することが困難となる場合もある。
【０００４】
スリップ式接続をもたらす構成要素と、ロック式接続をもたらす構成要素との相互間で弁別する方法を提供することが必要である。
【課題を解決するための手段】
【０００５】
目に見え触感のある特徴を弁別することをもたらす、医療機器、特にシリンジが提供される。また、スリップ式接続を有する機器と、ロック式接続を有する機器との相互間で弁別する方法が、提供される。
【０００６】
ある一面では、医療機器は、端部を有する装置本体と、装置本体に流体連通し、装置本体の端部から延びるコネクタであって、コネクタの外面が、コネクタの結合型式の指標である目に見え触感のある特徴を含むコネクタと、を含む。
【０００７】
結合型式は、コネクタの内面により画定されてもよい。内面は、滑らかであってもよく、目に見え触感のある特徴は、シリンジの長手方向の軸線に対して実質的に平行である１以上の溝、または、突起であり、結合型式は、スリップ式接続である。内面はねじ山を含んでもよく、目に見え触感のある特徴は、端部の端に対して零を超える角度に傾き螺旋形となる１以上の溝、または、突起であり、結合型式は、ロック式接続である。
【０００８】
コネクタは、ニードルハブ、フィルタ、およびアダプタのうちの少なくとも一つと係合可能であってもよい。そのコネクタは、不透明な材料であってもよい。そのコネクタは、細長い先端の周囲に同軸状に配置されたカラーを含んでもよい。
【０００９】
装置本体は、端部に末端壁を有するシリンジバレルであってもよく、また、コネクタは、末端壁から延びる。
【００１０】
他の一面は、末端壁を含む末端と、末端の先端と、開口基端と、末端と開口基端との間で延び小室を画定するバレル側壁とを有するシリンジバレルと、末端壁でシリンジバレルから末端方向に延びるコネクタであって、コネクタの結合型式の指標である目に見え触感のある特徴を含むコネクタと、を含むシリンジを提供する。
【００１１】
コネクタは、末端の先端と流体連通する細長い先端の周囲に同軸状に配置されたカラーと、細長い先端とカラーとの間に形成される溝と、目に見え触感のある特徴を含むカラーの外面と、を含んでもよい。コネクタは、不透明な材料であってもよい。
【００１２】
コネクタは、テーパ角５％を含んでもよい。コネクタは、国際標準機構規格ＩＳＯ８０３６９−６（２０１６）に準拠し得る。
【００１３】
１以上の実施例では、目に見え触感のある特徴は、ニードルハブ、フィルタ、および、アダプタのうちの少なくとも一つをコネクタに係合させるための挿入の動きを暗に示すのに有効である。目に見え触感のある特徴は、シリンジの長手方向の軸線に対して実質的に平行である１以上の溝、または、突起であってもよい。結合型式は、スリップ式接続であってもよい。目に見え触感のある特徴は、末端壁の端部に対して零を超える角度に傾き、螺旋形となる１以上の溝もしくは突起であってもよい。コネクタは、末端壁の端部に対して零を超える角度に傾き螺旋形となる１以上の内側のねじ山を含んでもよい。結合型式は、ロック式接続であってもよい。
【００１４】
シリンジバレルは、ガラス材料であってもよい。シリンジバレルは、ポリマー材料であってもよい。
【００１５】
さらなる一面は、末端壁を含む末端と、末端の先端と、開口基端と、末端と開口基端との間で延び小室を画定するバレル側壁を有するシリンジバレルと、末端壁でシリンジバレルから末端方向に延びるコネクタであって、末端の先端と流体連通する細長い先端の周囲に同軸状に配置されるカラーと、細長い先端とカラーとの間に形成される溝とを含み、カラーは、内面および外面と、カラーの外面に目に見え触感のある特徴と、を含むコネクタと、含むシリンジである。
【００１６】
カラーは、金属材料であってもよく、シリンジカラー接合部をさらに含み、シリンジバレルは、ガラス材料であり、シリンジカラー接合部が接続される末端壁の延在部をさらに含む。カラーおよびシリンジバレルは、双方、ポリマー材料であってもよく、カラーは、シリンジバレルと一体に形成される。カラーは、テーパ角５％を含んでもよい。カラーは、国際標準機構規格ＩＳＯ８０３６９−６（２０１６）に準拠し得る。
【００１７】
１以上の実施例では、目に見え触感のある特徴は、ニードルハブ、フィルタ、およびアダプタのうちの少なくとも一つとコネクタを係合させるための挿入の動きを示すのに有効である。目に見え触感のある特徴は、シリンジの長手方向の軸線に対して実質的に平行である１以上の溝、または、突起であってもよく、結合型式は、スリップ式接続である。目に見え触感のある特徴は、末端壁の端部に対して零を超える角度に傾き、螺旋形となる１以上の溝、または、突起であってもよく、カラーは、末端壁の端部に対して零を超える角度に傾き螺旋形となる１以上のねじ山を内面に含み、結合型式は、ロック式接続である。
【００１８】
他の一面は、医療機器の製造方法であって、コネクタの結合型式の指標である目に見え触感のある特徴を含むコネクタを形成し、医療機器の装置本体内にコネクタを合体させることを含む。
【００１９】
ある一面では、異なる結合型式の医療機器、即ち、シリンジ相互間を弁別する方法であって、本明細書中に開示されたいずれかの医療機器、即ち、シリンジを取得し、目に見え触感のある特徴を視覚的に、および/または、触覚的に検査することを含む。
【図面の簡単な説明】
【００２０】
【図１】図１は、実施例に従うロック式結合を有するコネクタの斜視図をもたらす。
【図２】図２は、実施例に従うロック式結合を有するコネクタの斜視図をもたらす。
【図３】図３は、図１および図２のコネクタを含む医療機器の斜視図である。
【図４】図４は、実施例に従うスリップ式結合を有するコネクタの斜視図をもたらす。
【図５】図５は、実施例に従うスリップ式結合を有するコネクタの斜視図をもたらす。
【図６】図６は、図４および図５のコネクタを含む医療機器の斜視図である。
【図７】図７は、実施例に従うロック式結合を有するコネクタの斜視図をもたらす。
【図８】図８は、実施例に従うロック式結合を有するコネクタの斜視図をもたらす。
【図９】図９は、図７および図８のコネクタを含む医療機器の斜視図である。
【図１０】図１０は、実施例に従うスリップ式結合を有するコネクタの斜視図をもたらす。
【図１１】図１１は、実施例に従うスリップ式結合を有するコネクタの斜視図をもたらす。
【図１２】図１２は、図１０および図１１のコネクタを含む医療機器の斜視図である。
【図１３】図１３は、図１２の医療機器の断面図である。
【図１４】図１４は、図１３の断面図における詳細図である。
【図１５】図１５は、医療機器の実施例の分解図である。
【発明を実施するための形態】
【００２１】
本発明のいくつかの例示的な実施例を説明する前に、本発明は、以下の記述に記載された構成または方法の工程の詳細に限定されないことを理解されたい。本発明は、他の実施例も可能であり、また様々な方法で実施される、または、実行され得る。
【００２２】
目に見え触感のある複数の特徴は、医療機器に設けられ、結合型式相互間の違いがわかる方法をもたらす。
【００２３】
１以上の実施例は、国際標準機構規格ＩＳＯ８０３６９−６（２０１６）における誤接続防止のための仕様をシリンジが満たすことができるであろうミスコネクションカラー（misconnection collar）を有するシリンジ（注射器）をもたらす。１以上の実施例によれば、そのシリンジは、そのカラーをシリンジバレルに組み込むとき、脳幹脊髄用途で利用可能とされ、そのシリンジは、国際標準機構規格ＩＳＯ８０３６９−６（２０１６）に準拠している。
【００２４】
以下の用語は、本出願の目的で、以下に記載の各意味を有するものとする。
【００２５】
「目に見え触感のある特徴」とは、その特徴を見ることによって認識できるそれらの外観と、触れることによって認識できるその３次元形状との両方によるしるしをもたらす特徴を意味する。本明細書中におけるその目に見え触感のある特徴は、コネクタの内部にある接続形式について、例えば、スリップ式またはロック式に関するしるしをもたらす。１以上の実施例における目に見え触感のある特徴は、コネクタを他の構成要素に係合させるための挿入動作であることを意味する。例えば、医療機器における長手方向の軸線に対して実質的に平行である１以上の溝もしくは突起は、真直ぐな押込み動作を意味する。代替的に、その長手方向の軸線に対して直角に交わる医療機器の端部に対してゼロ（零）を超える角度で螺旋形になる１以上の溝もしくは突起は、回転する、ねじ込み動作を意味する。
【００２６】
本明細書中で使用される「コネクタ」という用語は、第２の脳幹脊髄用装置に接続可能な脳幹脊髄用装置の一部であるいずれかの構造を含むものと了解される。本発明に従うコネクタにおける非限定的な一例は、シリンジチップ（syringe tips）、ニードルレスコネクタ（needleless connectors）、雄型ルアーコネクタ、雌型ルアーコネクタ、サイドポートバルブ（side port valves）、Ｙポートバルブ（y-port valves）、ポートバルブ(port valve)、および,他の同様の構造等を含む。
【００２７】
「結合型式」とは、コネクタが他の医療用構成要素に接続する機構を指す。結合型式は、限定されないが、スリップ式接続およびロック式接続を含む。スリップ式接続は、医療機器をコネクタに取り付けるために、表面上、直線状の動作を使用するものである。ロック式接続は、医療機器をコネクタに取り付けるために、主に、ねじる、即ち、回転させる動作を使用するものである。コネクタが接続される他の医療用構成要素は、限定されないが、脊髄用ニードルアセンブリ、硬膜外用ニードルアセンブリ、脊髄兼硬膜外用（ＣＳＥ）ニードルアセンブリ、液体用フィルタ、管のアダプタ等を含む。
【００２８】
図１および図２では、外面１０２および内面１０４を有するコネクタ１００は、カラー１０６および細長い先端１０８を含む。外面１０２には、内面１０４によって画定される結合型式に対応した目に見え触感のある特徴１１０がある。この実施例の内面１０４は、カラー１０６の端部１１４に対してゼロを超える角度に傾くねじ山１１２を示す。ねじ山１１２は、ロック式接続として結合型式を画定する。ねじ山１１２は、硬膜外ニードルアセンブリのハブの突起などのような、他の医療用構成要素の対応する構造に係合することができる。ねじ山１１２に対し接続する動きは、ねじることである。目に見え触感のある特徴１１０は、端部１１４に対してゼロ（零）を超える角度に傾き螺旋形になる複数の溝からなる。視覚的には、その複数の溝が、湾曲し捻じれた形状に倣い、触感的には、指の接触が、ねじりの動きがロック式接続で他の構成要素をコネクタ１００に組み付けるために必要とされるということをあらわす目安として、複数の溝の曲がりに倣う。この実施例において、複数の溝が例示されているが、代替的に、複数の突起が使用可能とされる。目に見え触感のある特徴は、コネクタと他の医療用構成要素との係合に対して構造的に寄与することはない。この実施例では、コネクタ１００は、外面１０２を見た場合、ねじ山１１２が目視で検出されないような、不透明体である。
【００２９】
図３は、目に見え触感のある特徴１１０を有する図１および図２に従う医療機器１２０およびコネクタ１００をもたらす。その機器は、装置本体１２２と、コネクタ１００が延びる端部１２４とを有する。この実施例における医療機器は、シリンジバレル１２６と、末端壁１２８と、プランジャ１３０とを含むシリンジ（注射器）である。１以上の実施例では、その医療機器は、ポリマー材料またはプラスチックであり、そのコネクタは、装置本体１２２と一体に形成される。図１乃至図３の実施例は、不透明なコネクタ１００を示しているが、不透明ではない例えば、透明または半透明なコネクタも、また、例えば、暗い環境である場合、本開示から利益が得られるものとする。
【００３０】
図４および図５においては、外面１５２および内面１５４を有するコネクタ１５０は、カラー１５６および細長い先端１５８を含む。外面１５２には、内面１５４によって画定された結合型式に対応した目に見え触感のある特徴１６０がある。この実施例の内面１５４は、スリップ式接続として結合型式を画定した滑らかものである。その内面は、硬膜外用ニードルアセンブリのハブなどのような、カラー１５６と細長い先端１５８との間に形成される溝にぴったりと嵌合する他の医療用構成要素と係合可能である。コネクタに対する接続の動きは、スリッポン式である。目に見え触感のある特徴１６０は、シリンジの長手方向の軸線に実質的に平行な複数の溝を含む。視覚的には、その複数の溝が、まっすぐな形状に倣い、触感的には、指の接触が、押す動きがスリップ式接続で他の構成要素をコネクタ１５０に組み付けるために必要とされるということをあらわす目安として、複数の溝の曲がりに倣う。この実施例では、複数の溝が例示されているが、代替的に、複数の突起が使用可能とされる。目に見え触感のある特徴は、コネクタと他の医療用構成要素との係合に対して構造的には寄与しない。コネクタ１５０は、外面１５２を見た場合、内面１５４が目視で検出されないように、この実施例では不透明である。
【００３１】
図６は、目に見え触感のある特徴１６０を有する図４および図５に従うコネクタ１５０および医療機器１７０をもたらす。その機器は、装置本体１７２と、コネクタ１５０が延びる端部１７４とを有する。この実施例における医療機器は、シリンジバレル１７６と、末端壁１７８と、プランジャ１８０とを含むシリンジ（注射器）である。１以上の実施例では、医療機器は、ポリマー材料またはプラスチックであり、そのコネクタは、装置本体１７２と一体に形成される。図４乃至図６における実施例は、不透明なコネクタ１５０を示しているが、不透明ではない、例えば、透明または半透明であるコネクタも、また、例えば、暗い環境がある場合、本開示から恩恵を受けることを理解されたい。
【００３２】
図７および図８では、外面２０２および内面２０４を有するコネクタ２００は、カラー２０６と、細長い先端２０８と、接合部２１６とを含む。外面２０２には、内面２０４によって画定される、結合型式に対応する目に見え触感のある特徴２１０がある。この実施例の内面２０４は、カラー２０６の端部２１４に対してゼロ（零）を超える角度に傾いたねじ山２１２を示す。ねじ山２１２は、ロック式接続である結合型式を画定する。ねじ山２１２は、硬膜外用ニードルアセンブリのハブの突起などのような、他の医療用構成要素における対応する構造に係合可能である。ねじ山２１２に対する接続する動きは、捩りである。目に見え触感のある特徴２１０は、端部２１４に対してゼロ（零）を超える角度に傾いた螺旋形になる複数の溝からなる。視覚的には、その複数の溝が、湾曲したねじれた形状に倣い、触感的には、指の接触が、ねじりの動きがロック式接続で他の構成要素をコネクタ２００に組み付けるために必要とされるということをあらわす目安として、複数の溝の曲がりに倣う。複数の溝が、この実施例において、例示されているが、代替的には、複数の突起が、使用可能とされる。目に見え触感のある特徴は、コネクタと他の医療用構成要素との係合に対して構造的に寄与しない。この実施例では、コネクタ２００は、外面１０２を見たとき、ねじ山１１２を視覚的に検出することはできないような、例えば、金属であり不透明である。
【００３３】
図９は、目に見え触感のある特徴２１０を有する図７および図８に従う医療機器２２０およびコネクタ２００をもたらす。その機器は、装置本体２２２と、末端壁延在部２３２、および、コネクタ２００が延びる端部２２４とを有する。この実施例における医療機器は、シリンジバレル２２６と、末端壁２２８と、プランジャ２３０とを含むシリンジ（注射器）である。１以上の実施例では、医療機器は、ガラス製であり、また、コネクタ２００は、シリンジカラー接合部２１６および末端壁延在部２３２においてぴったりと合う金属製である。図７乃至図９の実施例は、不透明なコネクタ２００を示しているが、不透明ではない、例えば、透明または半透明であるコネクタも、また、例えば、暗い環境がある場合、本開示から恩恵を受けることを理解されたい。
【００３４】
図１０および図１１では、外面２５２および内面２５４を有するコネクタ２５０は、カラー２５６と、細長い先端２５８と、接合部２６６とを含む。外面２５２には、内面２５４によって画定される結合型式に対応する目に見え触感のある特徴２６０がある。この実施例の内面２５４は、スリップ式接続としての結合型式を画定する滑らかさがあるものである。その内面は、硬膜外用ニードルアセンブリのハブなどのような、カラー２５６と細長い先端２５８との間に形成される溝にぴったりと嵌合する他の医療用構成要素と係合可能である。コネクタに対する接続の動きは、スリッポン式である。目に見え触感のある特徴２６０は、シリンジの長手方向の軸線に実質的に平行な複数の溝を含む。視覚的には、その複数の溝が、まっすぐな形状に倣い、触感的には、指の接触は、押す動きがスリップ式接続で他の構成要素をコネクタ２５０に組み付けるために必要とされるということをあらわす目安として、複数の溝の曲がりに倣う。この実施例では、複数の溝が例示されているが、代替的に、複数の突起が使用可能とされる。目に見え触感のある特徴は、コネクタと他の医療用構成要素との係合に対して構造的には寄与しない。コネクタ２５０は、外面２５２を見た場合、内面２５４が目視で検出されないように、この実施例では不透明であり、例えば、金属製である。
【００３５】
図１２は、目に見え触感のある特徴２６０を有する図１０および図１１に従うコネクタ２５０および医療機器２７０をもたらす。その機器は、装置本体２７２と、コネクタ２５０がそこから延びる端部２７４と、を有する。この実施例における医療機器は、シリンジバレル２７６と、末端壁２７８と、プランジャ２８０とを含むシリンジである。１以上の実施例では、その医療機器は、ガラス製であり、また、コネクタ２５０は、シリンジカラー接合部２６６および末端壁延在部２８２においてぴったりと合う金属製である。図１０乃至図１２の実施例は、不透明なコネクタ２５０を示しているが、不透明ではない、例えば、透明または半透明のコネクタも、例えば、暗い環境がある場合、本開示から恩恵を受けることを理解されたい。
【００３６】
図１３は、図１２における医療機器の断面図であり、また、図１４は、図１３におけるコネクタ端部２８４の拡大図である。長手方向の軸線「ａ」が、医療機器２７０に対して示されている。図１０および図１１に従うコネクタ２５０は、真直ぐに、押す動きを示す、長手方向の軸線ａに対して実質的に平行な溝である目に見え触感のある特徴２６０を有している。コネクタ２５０は、シリンジカラー接合部２６６においてシリンジバレル２７６の末端壁２７８から延びる末端壁延在部２８２にぴったりと合う。プランジャ２８０は、シリンジバレル２７６の本体内にある。
【００３７】
図１５は、本開示のいずれかの実施例となり得るコネクタ３００を含むシリンジ３２０からなる医療機器の実施例の分解図である。ワッシャ３０１が、シリンジ３２０の組み立てのとき、コネクタ３００と、シリンジバレル３２６の一部との間に位置決められる。この実施例では、コネクタ３００のシリンジカラー接合部３１６が嵌合される末端壁延在部３３２が延びる末端壁３２８がある。プランジャ３３０は、その機器の組み立てのとき、シリンジバレル３２６内にある。
【００３８】
実  施  例
様々な実施例が以下で列記される。以下で列記される実施例は、本発明の範囲と一致したすべての一面および他の実施例と組み合わされ得ることが理解されよう。
【００３９】
実施例１．医療機器において、端部を有する装置本体と、装置本体の端部から流体連通して延びるコネクタであって、コネクタの外面が、コネクタの結合型式の指標である目に見え触感のある特徴を含むコネクタと、を含む。
【００４０】
実施例２．結合型式は、コネクタの内面により画定される、実施例１に記載の医療機器。
【００４１】
実施例３．内面は滑らかであり、目に見え触感のある特徴は、シリンジの長手方向の軸線に対して実質的に平行である１以上の溝、もしくは、突起であり、また、結合型式は、スリップ式接続である実施例１または実施例２に記載の医療機器。
【００４２】
実施例４．内面は、ねじ山を含み、目に見え触感のある特徴は、端部の端部に対してゼロ（零）を超える角度に傾いた螺旋形になる１以上の溝、もしくは、突起であり、また、結合型式は、ロック式接続である実施例１または実施例２に記載の医療機器。
【００４３】
実施例５．コネクタは、ニードルハブ、フィルタ、およびアダプタのうちの少なくとも一つと係合可能である実施例１乃至実施例４のうちのいずれかに記載の医療機器。
【００４４】
実施例６．コネクタは、不透明な材料である実施例１乃至実施例５のうちのいずれかに記載の医療機器。
【００４５】
実施例７．コネクタは、細長い先端の周囲に同軸状に配置されたカラーを含む実施例１乃至実施例６のうちのいずれかに記載の医療機器。
【００４６】
実施例８．装置本体は、端部に末端壁を有するシリンジバレルであり、コネクタは、末端壁から延びる、実施例１乃至実施例７のうちのいずれかに記載の医療機器。
【００４７】
実施例９．シリンジにおいて、末端壁を含む末端と、末端の先端と、開口基端と、末端と開口基端との間で延び、小室を画定するバレル用側壁とを有するシリンジバレルと、末端壁で、シリンジバレルから末端方向に延びるコネクタであって、コネクタの結合型式の指標である目に見え触感のある特徴を含むコネクタと、を含む。
【００４８】
実施例１０．コネクタは、末端の先端と流体連通する細長い先端の周囲に同軸状に配置されたカラーと、細長い先端とカラーとの間に形成される溝と、目に見え触感のある特徴を含むカラーの外面とを含む実施例９に記載のシリンジ。
【００４９】
実施例１１．コネクタは、不透明な材料である実施例９または実施例１０に記載のシリンジ。
【００５０】
実施例１２．コネクタは、テーパ角５％を含む実施例９乃至実施例１１のうちのいずれかに記載のシリンジ。
【００５１】
実施例１３．コネクタは、国際標準機構規格ＩＳＯ８０３６９−６（２０１６）に準拠する実施例９乃至実施例１２のうちのいずれかに記載のシリンジ。
【００５２】
実施例１４．目に見え触感のある特徴は、ニードルハブ、フィルタ、およびアダプタのうちの少なくとも一つとコネクタとを係合させるための挿入の動きを暗に示すのに有効である実施例９乃至実施例１３のうちのいずれかに記載のシリンジ。
【００５３】
実施例１５．目に見え触感のある特徴は、シリンジの長手方向の軸線に対して実質的に平行である１以上の溝、もしくは、突起である実施例９乃至実施例１４のうちのいずれかに記載のシリンジ。
【００５４】
実施例１６．結合型式は、スリップ式接続である実施例１５に記載のシリンジ。
【００５５】
実施例１７．目に見え触感のある特徴は、末端壁の端部に対してゼロ（零）を超える角度に傾いた螺旋形になる１以上の溝、もしくは、突起である実施例９乃至実施例１４のうちのいずれかに記載のシリンジ。
【００５６】
実施例１８．コネクタは、末端壁の端部に対してゼロ（零）を超える角度に傾いた螺旋形になる１以上の内側のねじ山を含む実施例９乃至実施例１４、または実施例１７のうちのいずれかに記載のシリンジ。
【００５７】
実施例１９．結合型式は、ロック式接続である実施例１８に記載のシリンジ。
【００５８】
実施例２０．シリンジバレルは、ガラス材である実施例９乃至実施例１９のうちのいずれかに記載のシリンジ。
【００５９】
実施例２１．シリンジバレルは、ポリマー材である実施例９乃至実施例１９のうちのいずれかに記載のシリンジ。
【００６０】
実施例２２．シリンジにおいて、末端壁を含む末端と、末端の先端と、開口基端と、末端と開口基端との間で延び、小室を画定するバレル用側壁を有するシリンジバレルと、末端壁でシリンジバレルから末端方向に延びるコネクタであって、末端の先端と流体連通する細長い先端の周囲に同軸状に配置され、内面と外面とを含むカラーと、細長い先端とカラーとの間に形成される溝と、カラーの外面にある目に見え触感のある特徴とを含むコネクタと、を含むシリンジ。
【００６１】
実施例２３．カラーは、金属材料であり、シリンジカラー接合部をさらに含み、シリンジバレルは、ガラス材であり、シリンジカラー接合部が接続される末端壁延在部をさらに含む実施例２２に記載のシリンジ。
【００６２】
実施例２４．カラーおよびシリンジバレルは、双方、ポリマー材であり、カラーは、シリンジバレルと一体に形成される実施例２２に記載のシリンジ。
【００６３】
実施例２５．カラーは、テーパ角５％を含む実施例２２乃至実施例２４のうちのいずれかに記載のシリンジ。
【００６４】
実施例２６．カラーは、国際標準機構規格ＩＳＯ８０３６９−６（２０１６）に準拠する実施例２２乃至実施例２５のうちのいずれかに記載のシリンジ。
【００６５】
実施例２７．目に見え触感のある特徴は、ニードルハブ、フィルタ、および、アダプタのうちの少なくとも一つとコネクタを係合させるための挿入の動きを暗に示すのに有効である実施例２２乃至実施例２６のうちのいずれかに記載のシリンジ。
【００６６】
実施例２８．目に見え触感のある特徴は、シリンジの長手方向の軸線に対して実質的に平行である１以上の溝、もしくは、突起であり、結合型式は、スリップ式接続である実施例２２乃至実施例２７のうちのいずれかに記載のシリンジ。
【００６７】
実施例２９．目に見え触感のある特徴は、末端壁の端部に対してゼロ（零）を超える角度に傾いた螺旋形となる１以上の溝、もしくは、突起であり、カラーは、末端壁の端部に対してゼロ（零）を超える角度に傾いた螺旋形となる１以上のねじ山を内面に含み、結合型式は、ロック式接続である実施例２２乃至実施例２７のうちのいずれかに記載のシリンジ。
【００６８】
実施例３０．医療機器の製造方法において、コネクタの結合型式の指標である目に見え触感のある特徴を含むコネクタを形成し、医療機器の装置本体にコネクタを合体させることを含む。
【００６９】
実施例３１．異なる結合型式の医療機器、即ち、シリンジ相互間を弁別する方法において、実施例１乃至実施例２９のうちのいずれかに記載の医療機器、即ち、シリンジを取得し、目に見え触感のある特徴を視覚的に、および/または、触覚的に検査することを含む。
【００７０】
本明細書を通じて、「一実施例」、「いくつかの実施例」、「１以上の実施例」、または「実施例」とは、その実施例に関して述べられた特定の特徴、構造、材料、または特性が、本発明の少なくとも１つの実施例に含まれることを意味する。したがって、本明細書を通じて様々な環境における「１以上の実施例では」、「いくつかの実施例では」、「一実施例では」、または「ある実施例では」のような、語句の感じは、必ずしも、本発明の同一の実施例を指しているわけではない。さらに、特定の特徴、構造、材料、または特性は、１以上の実施例において、任意の適切な方法で組み合わされてもよい。
【００７１】
本明細書中、本発明は、特定の実施例を参照して述べられたが、これらの実施例は、本発明の原理および利用を単に例示するものに過ぎないことを理解されたい。当業者にとって、本発明の精神および範囲から逸脱することなく、様々な変更および変形例が、本発明の方法および装置に対してなされ得ることは明らかであろう。したがって、本発明が、添付の請求の範囲およびその均等物の範囲内にある変更および変形を含むことが意図される。
【図１】
2020512887.tif 000003
【図２】
2020512887.tif 000004
【図３】
2020512887.tif 000005
【図４】
2020512887.tif 000006
【図５】
2020512887.tif 000007
【図６】
2020512887.tif 000008
【図７】
2020512887.tif 000009
【図８】
2020512887.tif 000010
【図９】
2020512887.tif 000011
【図１０】
2020512887.tif 000012
【図１１】
2020512887.tif 000013
【図１２】
2020512887.tif 000014
【図１３】
2020512887.tif 000015
【図１４】
2020512887.tif 000016
【図１５】
2020512887.tif 000017
【国際調査報告】
2020512887.tif 000018
2020512887.tif 000019
2020512887.tif 000020